(57)【要約】【課題】押込み操作されるスイッチボタンを備えたスイッチ構造において、スイッチが装着される本体内への水の侵入を防止する。【解決手段】スイッチ３を保持するスイッチホルダー２６を構成するに、内筒３１と外筒３２とを設けるとともに前記内筒３１と外筒３２とを接続する中間仕切り壁３０を設け、スイッチボタン２を、押込み操作を受ける底板２ｂと、底板２ｂから後方に向けて延出され、内筒３１内に進入する接点押込み部２ａと、底板２ｂの外径側から後方に向けて延出される小径外筒部５１とを設け、少なくとも、前記スイッチボタン２が押込み操作された押込み姿勢で、前記小径外筒部５１が前記内筒３１と外筒３２との間の空間に進入する構成とする。【選択図】図７
2010129216.tif 000002
【特許請求の範囲】
【請求項１】
本体内に電気機器を備え、前記本体内に、前記電気機器を操作するためのスイッチをスイッチホルダーに支持させて備え、前記スイッチを操作するためのスイッチボタンを本体外面に露出させて備え、押込み操作により前記スイッチボタンが前記本体内へ移動して前記スイッチを操作可能とした電気調理器のスイッチ構造であって、
前記スイッチホルダーを構成するに、前記スイッチボタンの移動方向に沿った内筒と外筒とを設けるとともに、前記移動方向に交差する方向で前記内筒と外筒とを接続する中間仕切り壁を設け、
前記中間仕切り壁の本体内部側である後方側から前記スイッチを固定し、
前記スイッチボタンを、押込み操作を受ける底板と、前記底板から後方に向けて延出され、前記内筒内に進入する接点押込み部と、前記底板の外径側から後方に向けて延出される小径外筒部とを設け、前記接点押込み部をスイッチの接点に対向して配設し、
少なくとも、前記スイッチボタンが押込み操作された押込み姿勢で、前記小径外筒部が前記内筒と外筒との間の空間に進入する電気調理器のスイッチ構造。
【請求項２】
前記小径外筒部の後方に、押込み方向に交差する方向に延びる拡径壁を設け、当該拡径壁の外径側に後方に向けて大径外筒部を設けた請求項１記載の電気調理器のスイッチ構造。
【請求項３】
前記本体に、前記スイッチボタンが進入して、外部に露出されるボタン挿通孔を備え、当該ボタン挿通孔の本体側周端が、押込み方向である本体内側に折り込まれた折込壁を備えて構成され、
前記拡径壁と前記折込壁が、前記押込み方向で当接可能に構成されている請求項２記載の電気調理器のスイッチ構造。
【請求項４】
前記スイッチボタンが押込み操作されていない開放姿勢において、スイッチボタンに設けられる前記大径外筒部の少なくとも一部と、スイッチホルダーに設けられる前記外筒の少なくとも一部が、前記押込み方向において重なる位置関係にある請求項２又は３記載の電気調理器のスイッチ構造。
【請求項５】
前記中間仕切り壁として、前方側に位置する前方仕切り壁部と、前記前方仕切り壁部の外径側に位置され、後方側に位置する後方仕切り壁部とを備え、
前記前方仕切り壁部の後方側にスイッチが接続固定され、前記後方仕切り壁部より前方に位置する空間に、前記大径外筒部が進入する請求項２〜４のいずれか一項記載の電気調理器のスイッチ構造。
【請求項６】
本体内に電気機器を備え、前記本体内に、前記電気機器を操作するためのスイッチをスイッチホルダーに支持させて備え、前記スイッチを操作するためのスイッチボタンを本体外面に露出させて備え、押込み操作により前記スイッチボタンが前記本体内へ移動して前記スイッチを操作可能とした電気調理器のスイッチ構造であって、
前記スイッチホルダーを構成するに、前記スイッチボタンの移動方向に沿った内筒を設けるとともに、前記移動方向に交差する方向で前記内筒の外周から径方向に延出される仕切り壁を設け、
前記本体内面から、前記スイッチホルダーの仕切り壁側に延出され、前記内筒の外径側に位置される外筒を設け、
前記仕切り壁の本体内部側である後方側から前記スイッチを固定し、
前記スイッチボタンを、押込み操作を受ける底板と、前記底板から後方に向けて延出され、前記内筒内に進入する接点押込み部と、前記底板の外径側から後方に向けて延出される小径外筒部とを設け、前記接点押込み部をスイッチの接点に対向して配設し、
少なくとも、前記スイッチボタンが押込み操作された押込み姿勢で、前記小径外筒部が前記内筒と外筒との間の空間に進入する電気調理器のスイッチ構造。
【請求項７】
前記スイッチの接点が非押圧状態で前記スイッチホルダーの前記内筒内に位置する請求項１〜６の何れか一項記載の電気調理器のスイッチ構造。
【発明の詳細な説明】
【技術分野】
【０００１】
本発明は、本体内に電気機器を備え、前記本体内に、前記電気機器を操作するためのスイッチをスイッチホルダーに支持させて備え、前記スイッチを操作するためのスイッチボタンを本体外面に露出させて備え、押込み操作により前記スイッチボタンが前記本体内へ移動して前記スイッチを操作可能とした電気調理器のスイッチ構造に関する。
【背景技術】
【０００２】
このようなスイッチ構造に関する技術として特許文献１に開示の技術がある。
この技術では、電気機器押し釦スイッチを釦９（本願のスイッチボタンに相当）に対して、スイッチ側に防水壁１３と防水カバー１４を備えて構成している。ここで、防水壁１３は釦９の押込み方向に延出される構成とされ、防水カバー１４は、その方向に交差する方向に延出されている。さらに、釦９には、その基端側（図１において下側）に、フランジ１０と環状リブ１１を設けている。このフランジ１０は、押込み方向に交差する方向に延出されており、環状リブ１１は、押込み方向に形成されている。
この特許文献１に開示の技術では、釦９にフランジ１０及び環状リブ１１を設け、それに対向する姿勢で、防水壁１３及び防水カバー１４を設けることで、水がスイッチの接点に浸入するのを良好に防止することができる。
この特許文献１に開示の技術は、主に、電気機器用押し釦スイッチを、その押込み方向が上下方向である場合を想定したものと理解でき、さらに、基本的に、水のスイッチ接点への浸入を問題とするものである。
【０００３】
【特許文献１】特開２００７−１８８７６１号公報
【発明の開示】
【発明が解決しようとする課題】
【０００４】
しかしながら、例えば、調理器の場合、押込み方向が調理器を横断する横方向のものもあり、上記の技術では、釦、フランジ、環状リブを伝って、水の浸入が起こり、その水がそのまま調理器内部に進入してしまうことが起こる虞がある。
このような調理器の例としては、本体内に駆動用のモータが備えられるミキサー、ミル等を挙げることができるが、この種の本体内に電気機器を備えた調理器では、本体内には、電気機器の機能部位（モータの場合は、ステータ、コイル、ロータ及びコイルへの給電部等）が、そのまま配設されており、本体外郭部材が、電気機器のカバーケーシングとなっている。従って、カバーケーシング内への水の進入を極力阻止する必要があるが、上記の理由から、特許文献１に開示の技術では、充分とは言えなかった。
【０００５】
さらに、特許文献１に開示の技術では、防水カバー１４より下側にスイッチが位置される構成が採用されており、図１における上下方向の長さが長いものとなっていた。しかしながら、意匠性を重視した場合、この種の電気機器用押し釦スイッチはできるだけコンパクトな構造とされることが好ましいが、この点にあっても改良の余地があった。
【０００６】
従って、本願の目的は、押込み操作されるスイッチボタンを備えた電機調理器のスイッチ構造として、スイッチ自体への水の侵入を良好に防止できるとともに、本体内への水の侵入を防止でき、さらに、コンパクトな構成とすることができる電気調理器のスイッチ構造を提供することにある。
【課題を解決するための手段】
【０００７】
上記目的を達成するための、本体内に電気機器を備え、前記本体内に、前記電気機器を操作するためのスイッチをスイッチホルダーに支持させて備え、前記スイッチを操作するためのスイッチボタンを本体外面に露出させて備え、押込み操作により前記スイッチボタンが前記本体内へ移動して前記スイッチを操作可能とした電気調理器のスイッチ構造の第１の特徴構成は、
前記スイッチホルダーを構成するに、前記スイッチボタンの移動方向に沿った内筒と外筒とを設けるとともに、前記移動方向に交差する方向で前記内筒と外筒とを接続する中間仕切り壁を設け、
前記中間仕切り壁の本体内部側である後方側から前記スイッチを固定し、
前記スイッチボタンを、押込み操作を受ける底板と、前記底板から後方に向けて延出され、前記内筒内に進入する接点押込み部と、前記底板の外径側から後方に向けて延出される小径外筒部とを設け、前記接点押込み部をスイッチの接点に対向して配設し、
少なくとも、前記スイッチボタンが押込み操作された押込み姿勢で、前記小径外筒部が前記内筒と外筒との間の空間に進入する構成にある。
【０００８】
本願に係る電気調理器のスイッチ構造では、その基本構成として、スイッチホルダーを設け、このスイッチホルダーの前方にスイッチボタンを、スイッチホルダーの後方にスイッチを位置させる。ここで、スイッチホルダーの前方とは、スイッチホルダーが本体に装着された状態で、本体の外部に向かう側（押込み方向の基端側）を意味し、スイッチホルダーの後方とは、同装着状態で本体の内部に向かう側（押込み方向の先端側）を意味する。後に詳述するように、押込み方向は、本体の外部側から本体の内部側へ向かう方向であり、スイッチボタンとスイッチホルダーとの位置関係、及びスイッチホルダーとスイッチとの位置関係において、本願は、それらの一部部位が押込み方向で重なる構成を否定するものではない。
【０００９】
スイッチホルダーには外筒と内筒とが設けられており、スイッチの接点に対向して接点押し込み部を設けることで、押込み操作で、その接点が、スイッチボタンに設けられた接点押込み部で操作される。一方、スイッチボタンには、その外径側に後方（組み付け状態で本体内面側）に延出する小径外筒部（特許文献１の環状リブに相当）が設けられるが、この小径外筒部が、上述のスイッチボルダー側に設けられる外筒と内筒との間に形成される空間に進入され、さらに、これら外筒と内筒との間が中間仕切り壁で接続されている。
従って、スイッチボタンの外面からスイッチホルダー側に水が侵入したとしても、この水の本体内側への更なる侵入を、外筒、内筒及び中間仕切り壁により、防止することができる。従って、この構成では、スイッチ接点への水の侵入を防止するのみならず、外筒が設けられる外径側からの本体内への侵入をも防止することができる。
【００１０】
上記第１の特徴構成を備えた電気調理器のスイッチ構造において、前記小径外筒部の後方に、押込み方向に交差する方向に延びる拡径壁を、当該拡径壁の外径側に後方に向けて大径外筒部を設けることが好ましい。この構成が、本願第２の特徴構成である。
この構成を採用する場合、スイッチボタンに小径外筒部、拡径壁及び本体内部側に延びる大径外筒部を設けることで、小径外筒部を伝って侵入する水の更なる本体内部側への侵入を拡径壁で防止することができる。また、拡径壁及び大径外筒部により、先に説明したスイッチホルダーに設けられた外筒、中間仕切り壁及び内筒に囲まれた空間内に案内、保持することができる。
【００１１】
上記第２の特徴構成を備えた電気調理器のスイッチ構造において、前記本体に、前記スイッチボタンが進入して、外部に露出されるボタン挿通孔を備え、当該ボタン挿通孔の本体側周端が、押込み方向である本体内側に折り込まれた折込壁を備えて構成され、
前記拡径壁と前記折込壁が、前記押込み方向で当接可能に構成されていることが好ましい。この構成が、本願第３の特徴構成である。
この構成にあっては、拡径壁と折込壁が当接した状態で、本体とスイッチボタンで、上記空間への水の侵入自体を防止できる。このような当接姿勢が、スイッチボタンが押込まれていない開放姿勢（押込み操作を待っている待機姿勢）で実現するように構成することで、水が本体にかかっても、その水の侵入を防止できる。
【００１２】
上記第２又は第３の特徴構成を備えた電気調理器のスイッチ構造において、前記スイッチボタンが押込み操作されていない開放姿勢において、スイッチボタンに設けられる前記大径外筒部の少なくとも一部と、スイッチホルダーに設けられる前記外筒の少なくとも一部が、前記押込み方向において重なる位置関係にあることが、好ましい。この構成が、本願第４の特徴構成である。
開放姿勢において、大径外筒部の少なくとも一部と、外筒の少なくとも一部が、押込み方向において重なる位置関係を取ることで、大径外筒部を伝って、本体内部に侵入した水が、外筒より本体内部に移動するのを防止することができる。
【００１３】
上記第２〜第４の特徴構成を備えた電気調理器のスイッチ構造において、前記中間仕切り壁として、前方側に位置する前方仕切り壁部と、前記前方仕切り壁部の外径側に位置され、後方側に位置する後方仕切り壁部とを備え、
前記前方仕切り壁部の後方側にスイッチが接続固定され、前記後方仕切り壁部より前方に位置する空間に、前記大径外筒部が進入する構成を採用することが好ましい。この構成が、本願第５の特徴構成である。
この構成を採用することで、スイッチが接続固定された前方仕切り壁部と、大径外筒部が進入する空間を区画する後方仕切り壁部とを、スイッチボタンの押込み方向（本願における前後方向）で異なった位置に設けることで、スイッチボタン前端からスイッチ後端との距離を短くでき、コンパクトな構造とできる。
【００１４】
これまで説明してきた実施形態にあっては、スイッチホルダー側に内筒及び外筒の両方を設ける例を示したが、スイッチが固定されるスイッチホルダー側に内筒を、当該スイッチホルダーが固定される本体側に外筒を設ける構成としても良い。
この場合も、少なくともスイッチボタンの小径外筒部が押込み操作により進入する空間が、内筒及び外筒及び余の部材で囲まれた構成とできる。
【００１５】
この構造を採る場合、本体内に電気機器を備え、前記本体内に、前記電気機器を操作するためのスイッチをスイッチホルダーに支持させて備え、前記スイッチを操作するためのスイッチボタンを本体外面に露出させて備え、押込み操作により前記スイッチボタンが前記本体内へ移動して前記スイッチを操作可能とした電気調理器のスイッチ構造として、  前記スイッチホルダーを構成するに、前記スイッチボタンの移動方向に沿った内筒を設けるとともに、前記移動方向に交差する方向で前記内筒の外周から径方向に延出される仕切り壁を設け、
本体内面から、前記スイッチホルダーの仕切り壁側に延出され、前記内筒の外径側に位置される外筒を設け、
前記仕切り壁の本体内部側である後方側から前記スイッチを固定し、
前記スイッチボタンを、押込み操作を受ける底板と、前記底板から後方に向けて延出され、前記内筒内に進入する接点押込み部と、前記底板の外径側から後方に向けて延出される小径外筒部とを設け、前記接点押込み部をスイッチの接点に対向して配設し、
少なくとも、前記スイッチボタンが押込み操作された押込み姿勢で、前記小径外筒部が前記内筒と外筒との間の空間に進入することとなる。この構成が本願の第６の特徴構成である。
【００１６】
この構成でも、本願に係る電気調理器のスイッチ構造では、その基本構成として、スイッチホルダーを設け、このスイッチホルダーの前方にスイッチボタンを、スイッチホルダーの後方にスイッチを位置させる。
【００１７】
スイッチホルダーには内筒が設けられており、スイッチの接点に対向して接点押し込み部を設けることで、押込み操作で、その接点が、スイッチボタンに設けられた接点押込み部で操作される。一方、スイッチボタンには、その外径側に後方（組み付け状態で本体内面側）に延出する小径外筒部（特許文献１の環状リブに相当）が設けられるが、この小径外筒部が、上述の本体に設けられる外筒と、スイッチボルダー側に設けられる内筒との間に形成される空間に進入され、その進行方向先端側に仕切り壁が位置される。
従って、スイッチボタンの外面からスイッチホルダー側に水が侵入したとしても、この水の本体内側への更なる侵入を、外筒、内筒及び仕切り壁により、防止することができる。従って、この構成では、スイッチ接点への水の侵入を防止するのみならず、外筒が設けられる外径側からの本体内への侵入をも防止することができる。
【００１８】
これまで説明してきた各電気調理器のスイッチ構造において、前記スイッチの接点が非押圧状態で前記スイッチホルダーの前記内筒内に位置する構成を採用しておくと、コンパクト化を実現でき、安定した状態で確実にスイッチの接点をスイッチボタンに設けられた接点押込み部で操作できる。
【発明を実施するための最良の形態】
【００１９】
本発明の実施の形態について、図面に基づいて説明する。
図１は、本実施例に係る調理器１の外観視図であり、図２は、その使用状態を示す図であり、図３は、その内部構造を示す図である。本願では、調理の開始及び停止を外部から操作するためのスイッチボタン２、及び、このスイッチボタン２に押圧操作されるスイッチ３の本体４への取付けと防水を問題とするため、図３は、スイッチボタン２、スイッチ３を含む断面を示している。図４は、スイッチボタン２、スイッチ３を保持し、本体４に上部側で取付け固定されるスイッチユニット５の構成を示す分解斜視図である。図５、図６は、それぞれスイッチユニット５の組み付け状態における斜視図及び縦断面図である。さらに、図７は、当該スイッチユニットの作動状態を示す図である。同図において、（ａ）は、スイッチボタン２が押込み操作されることなく開放されており、スイッチ３の接点３ａが開放されている待機姿勢を示しており、（ｂ）は、スイッチボタン２が押し込まれ、スイッチ３の接点３ａを押している押込み姿勢を示している。
【００２０】
調理器の基本構成
図１、図２に示すように、本実施例に示す調理器１は、本体４、容器台６、容器７及び容器上面を覆う蓋８を主な構成体として成立している。
本体４には、先に説明したスイッチボタン２が配設されており、このスイッチボタン２を押込み操作することで、調理を開始したり、調理を停止したりすることができる。ここで、調理の開始・終了としては、例えば、調理器１がミキサーとして働く場合は、ミキシング操作の開始及び終了であり、調理器１がミルとして働く場合は、ミリング操作の開始及び終了である。さらに、この種の調理器１としては、ジューサー及び粉挽き器もあるが、いずれの調理器１にあっても、調理の開始は、本体４内に配設されているモータ９が運転開始され、このモータ９により回転されるブレード１０により、容器７内の食品が混合、粉砕等を受ける処理の開始を意味する。一方、調理の終了は、本体４内に配設されているモータ９が運転停止され、ブレード１０の回転が停止し、容器７内の食品の混合、粉砕等を停止する処理の終了を意味する。モータ９へは、電源ケーブル１１を介して電力が供給される。
【００２１】
図２に示すように、本体４に対して、容器台６と容器７とが一体として着脱自在に設けられている。使用に際しては、容器台６と容器７とを一体結合した状態で、本体４に装着し、その装着状態で、調理が可能となる。スイッチボタン２を押込み操作して調理を開始等できる。その後、手を離して押込み操作を終了することで、スイッチボタン２は、図７（ａ）に示す待機姿勢に復帰し、調理を終了することができる。
【００２２】
図２は、同図左側に、調理器１をミキサーとして使用する場合の構成を示しており、同図右側に、調理器１をミルとして使用する場合の構成を示している。
【００２３】
さらに、図２には、先に説明したスイッチユニット５の本体４への固定状態が示される（破線）とともに、本体４の一部を構成する本体カバー４ａを示している。この本体カバー４ａは、その下端近傍がスイッチボタン２の外面を外周部位から囲むように構成され、その上端で、概略円錐台状に形成された本体機能部４ｂに固定される構成が採用されている。図１にも示すように、本願に係る調理器１は縦長の円筒状に形成されるが、本体カバー４ａも縦長に形成されることで、統一感のある装飾性を発揮するものとなっている。
【００２４】
本体
図３は、本体４、容器台６、容器７を一体化した状態での、調理器１の縦断面図である。同図に示すように、本体４内には、その中心軸を軸心とするモータ９が配設されている。当該モータ９の回転軸９ａの下部には、冷却用のファン１２が固定接続されており、その上部には、モータ９からブレード１０に回転駆動を伝達するためのクラッチ１３の駆動側部材１３ａが固定接続されている。
【００２５】
モータ９のステータ９ｂには、コイル９ｃが環巻きされており、これらの外周を囲うモータケースは設けられていない。即ち、本実施例では、本体機能部４ｂ及びスイッチユニット５が、実質的にモータケースとなる。結果、モータ部品への水の浸入防止に対して特別の構造を採用する必要がある。
【００２６】
本体機能部４ｂは、概略、円錐台形状とされており、図２、図３に示すように、その円錐台の天面に有底円筒状の凹部４ｃが設けられている。この凹部４ｃには、組み付け状態で、容器台６の容器台下部延出部６ａが侵入する構成が採用されている。この容器台下部延出部６ａは、円筒状の外郭部材１４の内部にクラッチ１３の従動側部材１３ｂを収納して構成されている。
【００２７】
この凹部４ｃには、その下側に前記クラッチ１３の駆動側部材１３ａが配設される構成が採用されている。この駆動側部材１３ａは、図１、図３に示すように、円盤状の基盤部材１５の中央側に、周方向で均等に複数の係合ブレード１６を上側に突出した構成とされている。一方、クラッチ１３の駆動側部材１３ａに係合する従動側部材１３ｂは、円盤状の基盤部材１７の中央側に、周方向で均等に複数の係合ブレード１８を下側に突出した構成とされている。
【００２８】
上記の駆動側部材１３ａは、その外周部位に下側に延出される下錘円筒部１９を備えている。一方、凹部４ｃの底面２０は、二段構成とされており、外周側に高い位置に設けられる外周側底面部２０ａを、内周側に当該外周側底面部２０ａより低い位置に設けられる内周側底面部２０ｂを備えている。そして、この内周側底面部２０ｂの概略中央位置で、クラッチ１３の駆動側部材に設けられる下錘円筒部１９の近傍で、その内周側に、上側に延出される上昇円筒部２１を備えている。結果、駆動側部材１３ａの下錘円筒部１９と、内周側底面部２０ｂに設けられた上昇円筒部２１とが上下方向で重なる構成を採用することにより、駆動側部材１３ａと内周側底面部２０ｂとの間に形成される空間に侵入するのを防止することができる。
【００２９】
一方、凹部４ｃに侵入した水等は、内周側底面部２０ｂより上側に延出される上昇円筒部２１によりガイドされるが、図３に示すように、本体側部に排出口２２を設けるとともに、上昇円筒部２１より外径側の内周側底面部２０ｂを、この排出口２０に向けて下方向に向けて傾けた構成を採用することにより、良好に排出口２２から排水することができる。
スイッチユニット５と本体４との取り合いに関しては、後に詳細に説明する。
【００３０】
容器台
容器台６も概略有底筒状に構成されるとともに、その下側に先に説明した容器台下部延出部６ａが形成されている。容器台６の底部は、下側に、前述のクラッチ１３の従動側部材１３ｂが固定連結され、上側に、調理用のブレード１０が固定連結された回転軸２３を回転可能に軸支する。一方、容器台６の上部側内周部位には、容器下部に設けられるオス状螺合部７ａが螺号するメス状螺合部６ｂが設けられている。さらに、円筒状の容器下端が螺合状態で当接するパッキン２４が配設される構成されている。
この容器台６は、本体４の天面に、その周方向の特定位置に係合固定可能に構成されている。
【００３１】
容器
本実施形態においては、この容器７として、縦長のミキサー用容器と、逆転させた姿勢で有底筒状で、縦方向長さが比較的短いミル用容器が用意されている。
上記のミキサー用容器は、上下両端が開放された筒状に形成され、その下側部位に先に説明したオス状螺号部７ａを備えて構成されている。このミキサー用容器は、透明ガラス製、透明樹脂製とすることができる。そして、上側開口は、蓋８により閉止される。
【００３２】
上記のミル用容器は、有低筒状に形成され、図３に示す組み込み状態で、その下側部位に先に説明したオス状螺号部７ａを備えて構成されている。このミル用容器も、透明ガラス製、透明樹脂製とすることができる。
【００３３】
スイッチユニット
以下、図３、図４、図５に基づいて、スイッチユニット５の詳細構成及びその動きについて説明する。
スイッチユニットの構成
図３、図４に示すように、スイッチユニット５は、スイッチボタン２、付勢用コイルスプリング２５、スイッチホルダー２６及びスイッチ３が一体として構成されている。
具体的には、スイッチホルダー２６の本体外面側にスイッチボタン２が、図３の左右方向である、押込み復帰方向に摺動自在に取り付けられている。一方、スイッチホルダー２６の本体内面側にスイッチ３が固定されている。
図４、図５、図６に示すように、スイッチホルダー２６には、スイッチボタン２が前面に摺動自在に取付けられ、スイッチ３が後面に固定される中間部２６ａと、当該中間部２６ａより上側に延出される板状の上側固定部２６ｂと、当該中間部２６ａより下側に延出される下側位置決め部２６ｃとを備えて構成されている。
【００３４】
前記中間部２６ａは、概略、前後方向に延びる二重筒構造が採用されており、この二重筒の中間に、中間仕切り壁３０を備えて構成されている。本例の場合、この中間仕切り壁３０は、内径側に位置する前方仕切り壁３０ａと、この前方仕切り壁３０ａの外径側に形成される後方仕切り壁３０ｂとを備えて構成されている。
【００３５】
図からも判明するように、前方仕切り壁３０ａは、後方仕切り壁３０ｂから前方側に突出して形成されており、スイッチ３が固定される。スイッチ３が後方から固定されることより、その形状がスイッチ形状に合致した構成とされており、本例の場合、正面視、縦長の方形に突出形成されている。また、この前方仕切り壁３０ａの前面には、内筒３１が前側に突出形成されている。
この内筒３１内には、前方からスイッチボタン２の接点押込み部２ａが進入され、後方にスイッチ３の接点３ａが進入固定される。
【００３６】
後方仕切り壁３０ｂは、外筒３２の後方端近傍から内径側に延出して設けられており、スイッチボタン２の脱離を防止する一対の脱離阻止孔３３を備えている。前記離脱防止孔３３にスイッチボタン２が前方から嵌め込まれる。
外筒３２内には、前方からスイッチボタン２の大径外筒部５２が進入される。
【００３７】
中間部２６ａより上側に延出される板状の上側固定部２６ｂは、前後方向一定位置で上側に伸びる板状に形成されており、その上部に一対の固定筒部３５を備えて構成されている。スイッチホルダー２６は、本体機能部４ｂとの間で、この一対の固定筒部３５を使用して、一対のボルト３７により固定される。
【００３８】
中間部２６ａより下側に延出される下側位置決め部２６ｃは、本体機能部４ｂの前側が内壁面形状に合致して形成される左右一対の下錘壁部３８とその下端間を接続する横行壁３９とを備えて構成されており、図３に示すように本体機能部の底面から上方向に向けて形成された支持部４０の上方に、横行壁３９が当接することで、スイッチユニット５の上下方向の位置決めが可能となっている。
【００３９】
スイッチボタン２は、中心軸側に接点押込み部２ａが設けられた概略有底の筒状部材として構成されている。そして、その底板２ｂの外面が押込み操作を受ける操作面とされる。さらに、図３、図６に示すように、外径側に設けられる外筒部２ｃは、押込み方向で操作面に接続する小径外筒部５１と、前記操作面とは反対側で当該小径外筒部５１に接続される大径外筒部５２とを備えて構成されており、両外筒部５１，５２は、中間に設けられている径方向に延びる拡径壁５３を介して接続されている。
【００４０】
図７からも判明するように、小径外筒部５１の外径は、本体カバー４ａの下部に設けられているスイッチボタン挿通孔４１の内径にほぼ一致するものとされている。一方、拡径壁５３の外径は、前記スイッチボタン挿通孔４１を構成する、本体カバー４ａの折込壁４２より径が大きく構成されており、この拡径壁５３が本体内部側で折込壁４２に当接して、スイッチボタン２が、本体４内から離脱しない構成が採用されている。
さらに、前述の大径外筒部５２は、スイッチボタン２の押込み方向に延びて形成されているが、図３、図７（ａ）に示す待機姿勢において、大径外筒部５２は、スイッチホルダー２６の外筒３２内に進入し、スイッチボタン２の押込み方向で重なる位置に位置される構成が採用されている。
従って、スイッチボタン２が進入する空間が、スイッチホルダー２６の内筒３１、中間壁３０、外筒３２、スイッチボタン２の拡径壁５３（さらに詳細には小径外筒部５１及び大径外筒部５２を含む）、底板２ｂ及び接点押込み部２ａで囲まれた構成とされており、例え、水がこの空間に浸入しても、その空間内に留まり、モータ９が配設される本体機能部４ｂの内部に侵入することがないように構成されている。
【００４１】
本例では、スイッチボタン２の押込み方向で、接点押込み部２ａの先端位置は、拡径壁５３の位置にほぼ一致されている。
【００４２】
図３に示すように、スイッチホルダー２６とスイッチボタン２との間には、スイッチボタン２を図７（ａ）に示す待機姿勢側に付勢する付勢手段としてのコイルスプリング２５が配設されている。
【００４３】
以下、図７に基づいて、スイッチ操作について説明する。これまでも説明してきたように、同図において（ａ）は、スイッチボタン２が開放されており、スイッチの接点３ａが開放されている待機姿勢を示しており、（ｂ）は、スイッチボタン２が押し込まれ、スイッチの接点３ａを押している押込み姿勢を示している。
待機姿勢
この待機姿勢では、スイッチボタン２はコイルスプリング２５によりスイッチホルダー２６から離間する方向に付勢されるとともに、本体カバー４ａに当接して位置決めされる。この姿勢で、スイッチの接点３ａが押されることはない。また、スイッチボタン２の操作面２ｂは、本体カバー４ａの外面と面一となる位置関係を取る。
そして、この待機姿勢では、スイッチボタン２に設けられている拡径壁５３が本体カバー４ａに設けられた折込壁４２に当接しているため、水がスイッチホルダー２６側に侵入することはない。
【００４４】
押込み姿勢
この押込み姿勢では、スイッチボタン２は押込み操作されるため、コイルスプリング２５の付勢力に抗してスイッチホルダー２６に近接する方向に移動され、スイッチの接点３ａが押される。即ち、スイッチボタン２の接点押込み部２ａは、スイッチの接点３ａを押し込む。この姿勢では、先にも示したように、スイッチボタン２が進入する空間が、スイッチホルダー２６の内筒３１、中間壁３０、外筒３２、スイッチボタン２の拡径壁５３（さらに詳細には小径外筒部５１及び大径外筒部５２を含む）、底板２ｂ及びスイッチボタン２の接点押込み部２ａで囲まれた構成とされており、例え、水がこの空間に浸入しても、その空間内に留まり、モータが配設される本体機能部の内部に侵入することがない。
以上の構成を採用することにより、本願では、本体機能部４ａ内にモータ９が、そのケースを備えることなく、コイル等の電気部品が裸のまま配設される構成を採用する構造でも、本体機能部内への水の浸入を、スイッチボタン２とスイッチホルダー２６との構成の工夫で良好に阻止することができた。
〔別実施形態〕
（イ）上記の実施形態では、容器７と本体４間に容器台６を設ける構成とし、これらが一体となった状態で本体４に係合された構成を示したが、容器７と容器台６とが一体化されており、一体化物が本体に係合する構成としてもよい。
（ロ）上記の実施形態では、スイッチ３の接点３ａがスイッチホルダー２６に設けられる内筒３１内に配設される例を示したが、スイッチボタン２に設けられる接点押し込み部２ａを比較的長く形成しておいて、接点３ａが内筒３１の軸方向外に設けられる構成を採用しても良い。この構成を採用する場合、スイッチ３を比較的後方に位置させることができ、接点押し込み部２ａに、スイッチホルダー２６に形成される内筒３１の後端段部３１ａに当たる当接部２ｚを設け、スイッチボタン２の離脱防止を図ることも可能となる。この構成例を図８に示した。
（ハ）上記の実施形態では、スイッチホルダー２６に内筒３１及び外筒３２を設ける例と示したが、スイッチホルダー２６に内筒３１を、本体４内面に外筒４ｚを設けてもよい。この構成例を図９に示した。この構成の場合、仕切り壁３０ｚは先の例の上側固定部２６ｂと同様に、内筒３１の外周から直に立ち上げることとなる。このような構成を採用することで、スイッチホルダー２６を比較的簡単な構成として、安価に構成できる。
（ニ）  上記の実施の形態では、本願に係る検知機構を、ミキサー、ミルに使用する場合について示したが、ジューサ、粉挽き器等に採用できる他、例えば、台所等で使用され、水がかかる虞がある調理器全般に採用できる。
【産業上の利用可能性】
【００４５】
以上説明したように、押込み操作されるスイッチボタンを備えた電機調理器のスイッチ構造として、スイッチ自体への水の侵入を良好に防止できるとともに、本体内への水の侵入を防止でき、さらに、コンパクトな構成とすることができる電気調理器のスイッチ構造を提供することができた。
【図面の簡単な説明】
【００４６】
【図１】本実施例に係る調理器の外観視図
【図２】調理器の使用状態を示す図
【図３】調理器の内部構造を示す縦断面図
【図４】スイッチユニットの構成を示す分解斜視図
【図５】スイッチユニットの組み付け状態における斜視図
【図６】スイッチユニットの組み付け状態における縦断面図
【図７】スイッチユニットの作動状態を示す図
【図８】本願の別実施構成を示す図
【図９】本願の別実施構成を示す図
【符号の説明】
【００４７】
１    調理器
２    スイッチボタン
２ａ  接点押込み部
２ｂ  底板（操作面）
３    スイッチ
４    本体
５    スイッチユニット
２６  スイッチホルダー
６    容器台
７    容器
３０  中間壁
３１  内筒
３２  外筒
【図１】
2010129216.tif 000003
【図２】
2010129216.tif 000004
【図３】
2010129216.tif 000005
【図４】
2010129216.tif 000006
【図５】
2010129216.tif 000007
【図６】
2010129216.tif 000008
【図７】
2010129216.tif 000009
【図８】
2010129216.tif 000010
【図９】
2010129216.tif 000011